(57)【要約】【課題】  置き畳の種類や畳数などに迅速且つ簡便に対応して枠組みすることのできる縁枠の提供。【解決手段】  肉厚寸法凡そ１０ｍｍ〜３０ｍｍ、巾寸法凡そ３ｃｍ〜５ｃｍ、長さ寸法凡そ７０ｃｍ〜１９０ｃｍとなした帯状のストレート部材を作成し、該ストレート部材の１つは長さ方向の底面部中央にガイド溝を全長に亘り、若しくは両端或いは片端の一定長さ範囲で穿設したものとなし、これに対し他のストレート部材は片端部に対し、これと直交する状態で且つ上記ガイド溝に係合止着させるものとする長さ寸法を凡そ３ｃｍ〜２０ｃｍとなした嵌合部材を突出させ、これに対し他の片端部はその端縁から長さ方向の底面部中央に一定長のガイド溝を穿設し、又別途上記ガイド溝に嵌入させる繋ぎ部材を作成し、これらストレート部材と繋ぎ部材とを適宜組合せ使用する。【選択図】      図７
2006070527.tif 000002
【特許請求の範囲】
【請求項１】
ボードや合成樹脂或いは木材などを使用し、肉厚寸法凡そ１０ｍｍ〜３０ｍｍ、巾寸法凡そ３ｃｍ〜５ｃｍ、長さ寸法凡そ７０ｃｍ〜１９０ｃｍとなした帯状のストレート部材を作成し、該ストレート部材の１つは長さ方向の底面部中央にガイド溝を全長に亘り、若しくは両端或いは片端の一定長さ範囲で穿設したものとなし、これに対し他のストレート部材は片端部に対し、これと直交する状態で且つ上記ガイド溝に係合止着させるものとする長さ寸法を凡そ３ｃｍ〜２０ｃｍとなした嵌合部材を突出させ、これに対し他の片端部はその端縁から長さ方向の底面部中央に一定長のガイド溝を穿設し、又別途上記ガイド溝に嵌入させる繋ぎ部材を作成し、これらストレート部材と繋ぎ部材とを適宜組合せ使用して必要な大きさ寸法の置き畳外周を取り囲むための方形枠を作成させるものとなしたことを特徴とする置き畳用縁枠。
【請求項２】
片端に嵌合部材を取付けてなるストレート部材の長さ寸法は凡そ８０ｃｍ〜１８０ｃｍとなしたことを特徴とする請求項１記載の置き畳用縁枠。
【請求項３】
嵌合部材に疣体を取付け、且つ該嵌合部材と係合止着する他のストレート部材のガイド溝内に対し、上記疣体を嵌入させる穴体を穿設したものとなしたことを特徴とする請求項１又は２記載の置き畳用縁枠。
【発明の詳細な説明】
【技術分野】
【０００１】
本発明は専ら床板上の適当箇所へ、和式感覚に使用する置き畳みを取り囲むための置き畳用縁枠に関する。
【背景技術】
【０００２】
図８は従来品の実施状況を示すものであって、二帖、三帖、四帖、四帖半などに応じ、相当長さ寸法の木片材１０，１０，・・・を縦、横方向に用意し、これで置き畳みを取り囲んだのち、その隅角部ｐの対合部をネジ釘などの使用で止着させたものとなすのである。図面は折り畳み二帖用のものを示している。
【特許文献１】特願２００３−１３０３４４
【非特許文献１】極東産業株式会社  カタログ「ニュー畳ライフ」
【発明の開示】
【発明が解決しようとする課題】
【０００３】
上記の如く従来の木枠は置き畳み用として畳帖数に合わせたものを夫々れに用意するのであり、畳帖数の組合せに応じて多種類のものを作成用意しておく必要がある。ところで、近年では昔の帖寸法に拘らない規格外の寸法のものもあって、これらに対する縁枠の作成は特定品となることから手間が掛かり且つ高価とならざるを得ないものとなっている。
本発明は斯有る問題点を解決せんとするものである。
【課題を解決するための手段】
【０００４】
本発明は、ボードや合成樹脂或いは木材などを使用し、肉厚寸法凡そ１０ｍｍ〜３０ｍｍ、巾寸法凡そ３ｃｍ〜５ｃｍ、長さ寸法凡そ７０ｃｍ〜１９０ｃｍとなした帯状のストレート部材を作成し、該ストレート部材の１つは長さ方向の底面部中央にガイド溝を全長に亘り、若しくは両端或いは片端の一定長さ範囲で穿設したものとなし、これに対し他のストレート部材は片端部に対し、これと直交する状態で且つ上記ガイド溝に係合止着させるものとする長さ寸法を凡そ３ｃｍ〜２０ｃｍとなした嵌合部材を突出させ、これに対し他の片端部はその端縁から長さ方向の底面部中央に一定長のガイド溝を穿設し、又別途上記ガイド溝に嵌入させる繋ぎ部材を作成し、これらストレート部材と繋ぎ部材とを適宜組合せ使用して必要な大きさ寸法の置き畳外周を取り囲むための方形枠を作成させるものとなしたことを特徴とする。このさい、片端に嵌合部材を取付けてなるストレート部材の長さ寸法は凡そ８０ｃｍ〜１８０ｃｍとなされる。また、嵌合部材にはその適所に疣体を取付け、且つ該嵌合部材と係合止着する他のストレート部材のガイド溝内に対し、上記疣体を嵌入させる穴体を穿設したりする。
【発明の効果】
【０００５】
本発明によれば、一定長さの帯状板体となした底面部の長さ方向へガイド溝を全長に亘り、若しくは両端或いは片端の一定長さ範囲に穿設したストレート部材と、片端部の直交する方向へ上記ガイド溝と嵌合係着を可能にする一定長の嵌合部材を突設させ、且つ該部を除く帯状板体の底面部長さ方向へガイド溝を穿設したストレート部材との組合せにより、適宜な帖数の置き畳の外周を簡便迅速且つ適確に取り囲む枠体を組み立てて美観を呈するためのものとなすことができるものである。
具体的には使用者側で好みの帖数やその敷き状態にマッチする如く、自由に各ストレート部材の長さを切断しながらコーナー箇所では１つのストレート部材に於ける突設させた嵌合部材を、今１つのストレート部材のガイド溝へ嵌合させて止着させるようになすのであり、而してその他端が長い場合には適宜切断し、或いは不足する場合は他のストレート部材を別途繋ぎ部材を使用しながら接合して必要寸法のものが得られるようにするのである。
【０００６】
とりわけ、本発明によればコーナー箇所に別途コーナー部材を必要とせず、即ち上記二つのストレート部材を組合せ使用するだけで簡便迅速且つ適確に構成することができるのであり、このさい嵌合部材を突設させたストレート部材の作成は、今１つのストレート部材を作成する同様の作成工程で製造することができる上で優れるのである。従って別途単独のコーナー部材を個々に作成する場合に対比すると、格段に製作工数が削減でき且つコストの低減化に寄与するものとなる。また、枠組の構成を堅牢化できるものとなる。
【発明を実施するための最良の形態】
【０００７】
図１は本発明の置き畳用縁枠１を示すものであって、１Ａはそのストレート部材の１つである。ここに、ストレート部材１Ａは硬質ボード、合成樹脂や木材から図示の如き帯状の平板体に製造されるのであり、その肉厚寸法ｔは凡そ１０ｍｍ〜９０ｍｍ、巾寸法ｓは凡そ３ｃｍ〜５ｃｍであり、且つ全体の長さ寸法ｋは短いもので凡そ８０ｃｍ、長いもので１９０ｃｍとなされる。而して、該帯状の平板体下面に於ける中央付近には、巾寸法ｅを凡そ１０ｍｍ〜２５ｍｍ、深さ寸法ｆを凡そ５ｍｍ〜１５ｍｍとなしたガイド溝２を全長に亘り、若しくは両端或いは片端の一定長さ範囲で穿設したものとなしてある。
【０００８】
図２は他の１つのストレート部材１Ｂであって、上記１Ａと同様に硬質ボード、合成樹脂や木材などから製造されるのであり、その帯状平板体となされる大きさ寸法は１Ａのものと同一である。又その平板体底面に於ける中央付近に同一寸法関係のガイド溝２が穿設されることも同様であるが、ただ本部材１Ｂのガイド溝はその長さ方向の全長に設けるのではなく、図示例の如く片端縁部の一定長さ範囲（凡そ３０ｃｍ）のみに設けるのであり、これに対し他の片端縁部の側面ｍには、直交する状態に長さ寸法を凡そ３ｃｍ〜２０ｃｍ程度となした嵌合部材３を突設させたものとなしてある。而して、該嵌合部材３は上記したストレート部材１Ａのガイド溝２と係合止着されるものとなされるのである。
【０００９】
図３は繋ぎ部材４を示すものであって、これは上記図示の各ストレート部材１Ａ，１Ｂを反転使用して方形枠を形成させるさい、コーナー箇所を除く中間箇所の接合部に於けるガイド溝２間に対し、適宜嵌入させて両者の係合止着が行われるようにするためのものである。
【００１０】
図４は上記したストレート部材１Ａ，１Ｂを使用して折り畳み二畳の置き畳５の周囲を取り囲んだ縁枠の実施態様平面図である。
【００１１】
図５は同じく上記したストレート部材１Ａ、１Ｂ及び繋ぎ部材４を使用して折り畳み三畳の置き畳６の周囲を取り囲んだ縁枠の実施態様平面図である。
【００１２】
図６は同じくストレート部材１Ａ，１Ｂ及び繋ぎ部材４を使用して４畳半の周囲を取り囲んだ縁枠の実施態様平面図である。
【００１３】
本発明品に於いて嵌合部材３を備えたストレート部材１Ｂは、少なくともその長さ寸法を８０ｃｍ以上のものとすることが好ましく、これは凡そ畳半畳分の最小畳を取り囲む縁枠を対象としたさいの必要条件からである。而して、三畳、四畳半、６畳、・・・などの如く大きくなる場合、ストレート部材１Ａ，１Ｂの接合箇所に対しては繋ぎ部材４を夫々れのガイド溝２間を跨ぐように嵌入させて嵌合止着するのであり、あと適宜市販の接着テープなどを使用してこの裏面を貼着させておくようにすると良い。
【００１４】
本発明に於けるストレート部材１Ａ及び１Ｂは、後者がその片端部箇所に嵌合部材を突設させたものとなされる点で異なるが、実質的に同一製造工程で作成し、嵌合部材はその延長作業で作成することができるのであり、従って従来のコーナー部材を別途に製造したりすることが全く不要となり、大きくコストの低減化に寄与するものとなる。而して、コーナー箇所ではストレート部材１Ｂの嵌合部材３をストレート部材１Ａのガイド溝２に嵌入させるだけの簡単な作業で済むことから、迅速な作業性に優れるものとなるのである。また、部材間の接合がガイド溝と該溝内へ一定長さ範囲で嵌入される繋ぎ部材により行われることは、方向性に優れ且つ安定した堅牢な係合止着の行われるものとなる上で優れるのである。
【００１５】
図７は他の実施例を示すものであって、図中Ａは上記実施例で図２に示したストレート部材１Ｂの嵌合部材３に対し、疣体ｖを取付けたものであり、同Ｂはこれと接合させるものとなす他のストレート部材１Ａのガイド溝２内へ、上記疣体ｖと係合させる穴体ｗを穿設したものである。本例では上記疣体ｖと穴体ｗとが相互に嵌合することにより、より強固で安定した枠縁が形成される上で著効を奏する。このさい上記疣体ｖ及び穴体ｗは適当間隔で複数設けることができる。なお、上記一連の連結作業で繋ぎ部材にもその片端或いは両端に疣体を設け、且つこれと嵌合するストレート部材側のガイド溝内に対し、適宜穴体を穿設したりするようになしても良い。
【図面の簡単な説明】
【００１６】
【図１】本考案に係るストレート部材１Ａを反転させて底面側から見た斜視図である。
【図２】同じくストレート部材１Ｂを反転させて底面側から見た斜視図である。
【図３】繋ぎキーの斜視図である。
【図４】二畳の置き畳の周囲を取り囲んだ縁枠の実施態様平面図である。
【図５】三畳の置き畳の周囲を取り囲んだ縁枠の実施態様平面図である。
【図６】四畳半の置き畳の周囲を取り囲んだ枠縁の実施態様平面図である。
【図７】ストレート部材の他の実施例を示すものである。
【図８】従来品を示すものである。
【符号の説明】
【００１７】
１Ａ      ストレート部材
１Ｂ      ストレート部材
２      ガイド溝
３      嵌合部材
４      繋ぎ部材
ｖ      疣体
ｗ      穴体
【図１】
2006070527.tif 000003
【図２】
2006070527.tif 000004
【図３】
2006070527.tif 000005
【図４】
2006070527.tif 000006
【図５】
2006070527.tif 000007
【図６】
2006070527.tif 000008
【図７】
2006070527.tif 000009
【図８】
2006070527.tif 000010